(57)【要約】【課題】  発熱体自身により確実に支持できながら放熱効率が高く、より安価に製造することの可能な電気ヒーターの支持構造体を提供すること。【解決手段】板状体に交互にスリット（２１）を形成し、蛇行状の通電路を形成した発熱体（２０）を絶縁体（１０）に支持してある構成において、板状体にスリット（２１）を形成する際に回路から突出する状態で残らせた部分（２３’）を折り曲げて、絶縁体（１０）に支持するための脚部（２３）を形成する。【選択図】    図１
2005129273.tif 000002
【特許請求の範囲】
【請求項１】
板状体に交互にスリット（２１，３１，５１）を形成し、蛇行状の通電路を形成した発熱体（２０，３０，４０，５０，６０）を絶縁体（１０）に支持してある電気ヒーターであって、前記板状体に前記スリット（２１，３１，５１）を形成する際に、回路から突出する状態で残らせた部分を折り曲げて、前記絶縁体（１０）に支持するための脚部（２３，３３，４３，５３，６３）を形成したことを特徴とする電気ヒーター。
【発明の詳細な説明】
【技術分野】
【０００１】
本発明は、電気ヒーターに関するものである。
【背景技術】
【０００２】
従来、上述の如き電気ヒーターの従来技術としては、次の特許文献１に記載の如く発熱体を支持するための成形体による支持体を有するものが提唱されている。
【特許文献１】特開平１０−２８３６５０号公報
【０００３】
しかし、同従来技術は、成形体による支持体を有するため、別途支持体を構成する部材が必要となり、少なからず熱効率に影響を与えていた。また、支持体に用いられる成形体には、ヒーターの放熱機能に影響の少ない部材や構造を必要とするためコスト高を招かざるを得なかった。
【発明の開示】
【発明が解決しようとする課題】
【０００４】
かかる従来の実情に鑑みて、本発明の目的は、発熱体自身により確実に支持できながら放熱効率が高く、より安価に製造することの可能な電気ヒーターの支持構造体を提供することにある。
【課題を解決するための手段】
【０００５】
上記目的を達成するため、本発明に係る電気ヒーターの特徴は、板状体に交互にスリットを形成し、蛇行状の通電路を形成した発熱体を絶縁体に支持してある構成において、前記板状体に前記スリットを形成する際に回路から突出する状態で残らせた部分を折り曲げて、前記絶縁体に支持するための脚部を形成したことにある。
【発明の効果】
【０００６】
このように、上記本発明に係る電気ヒーターの特徴によれば、発熱体自らが支持構造を有することにより、発熱体を確実に支持できながら放熱効率を向上させることが可能となった。また、放熱効率や強度が問題となり高価となりやすい部材を使用する棒状支持体等の発熱体を支持する構造体を用いないので、より安価に製造するが可能となった。
【０００７】
本発明の他の目的、構成及び効果については以下に示す発明の実施の形態の項で明らかになるであろう。
【発明を実施するための最良の形態】
【０００８】
次に、図１（ａ）、（ｂ）を参照しながら、本発明の第一の実施形態について説明する。図１（ｂ）に示すように、本発明に係る電気ヒーター１は、大略、発熱体２０を支持する断熱性に優れたセラミックを用いたセラミックボード１０と、発熱体２０とからなる。
【０００９】
発熱体２０は、図１（ａ）に示すように、スリット２１と縁部２２と脚部２３よりなる。スリット２１は、発熱体２０の長手方向に交差するよう交互に複数形成され、発熱体２０は、蛇行状の回路を構成している部分と、同一方向に開口部が形成された一対のスリット２１，２１により挟まれて回路から突出する部分２３’とがある。
【００１０】
そして、スリット２１の向きが互いに異なる一対の突出部２３’，２３’を、その根本部からセラミックボード１０側にほぼ垂直に折り曲げ、脚部２３，２３を形成する。これら一対の脚部２３，２３は、発熱体２０がセラミックボード１０と平行となるようほぼ垂直にセラミックボード１０に差し込まれ、発熱体２０を支持する。
【００１１】
次に、本発明の第一の実施形態の改変例について説明する。
図３に示す改変例は、脚部２３のセラミックボード１０への差し込み角度が異なる。発熱体４０に設けられた一対の突出部は、発熱体４０に対し９０度以上の角度で、一対の突出部の先端部が離反するよう折り曲げ、一対の脚部４３，４３を形成する。これら一対の脚部４３，４３は、発熱体４０がセラミックボード１０と平行となるよう傾斜してセラミックボード１０に差し込まれ、発熱体４０を支持する。
【００１２】
次に、本発明のさらに他の実施形態について説明する。なお、先の第一の実施形態と同様の部材には同様の符号を付してある。
図２（ａ），（ｂ）に示す第二の実施形態は、発熱体の形状が異なる。発熱体３０は、図２（ｂ）に示すように、発熱体３０の幅方向中央部を中心に両端がセラミックボード１０より離反するよう湾曲している。また、発熱体３０には、スリット３１，縁部３２，脚部３３が上記第一の実施形態と同様に設けられている。一対の突出部３３’，３３’は、セラミックボード１０側にセラミックボード１０とほぼ垂直となるように折り曲げられ、一対の脚部３３，３３を形成する。これら一対の脚部３３，３３は、発熱体３０が一方に傾斜しないようほぼ垂直にセラミックボード１０に差し込まれ、発熱体３０を支持する。
【００１３】
また、図３に示す第一の実施形態の改変例は、本実施形態の如く湾曲している発熱体であっても、発熱体が傾かないように支持できるのであれば、本改変例を適用しても構わない。
【００１４】
図４に示す第三の実施形態は、突出部の折り曲げ方向が異なる。発熱体５０には、上述の各実施形態と同様に、スリット５１，縁部５２，脚部５３が設けられている。
【００１５】
一対の突出部５３’，５３’のうち、一方の突出部５３’は、隣接する突出部５３’側の任意位置を基準として、発熱体５０平面に対しほぼ垂直に且つ、セラミックボード１０に対して傾斜し、隣接する他方の突出部５３’と離反するよう折り曲げる。一対の突出部５３’，５３’は、図４（ｂ）に示すように、互いに対称になるよう折り曲げ、一対の脚部５３，５３を形成する。これら一対の脚部５３，５３は、発熱体５０がセラミックボード１０と平行となるようセラミックボード１０に差し込まれ、発熱体５０を支持する。
【００１６】
図５に示す第四の実施形態では、打抜き成形により発熱体６０に成形されたスリット６１と突出部６３’が長手方向に交差するよう交互に複数形成され、発熱体６０は蛇行状の回路を構成している。スリット６１は、打抜き成形後切り取られた部分であり、突出部６３’は残存させた部分である。この突出部６３’は、図５（ａ）に示すように、隣り合う突出部６３’，６３’を一対とし、それらをセラミックボード１０側へほぼ垂直に折り曲げ、脚部６３，６３を形成する。これら一対の脚部６３，６３は、発熱体６０がセラミックボード１０と平行となるようセラミックボード１０に差し込まれ、発熱体６０を支持する。
【産業上の利用可能性】
【００１７】
本発明に係る電気ヒーターは、ガラス、セラミック、金属の熱処理用ヒーターとし使用することができる。また、反応炉、拡散炉にも適用することができ、例えば７００℃〜９００℃程度の低温環境や、例えば１２００℃を超える高温環境下においても使用することができる。
【図面の簡単な説明】
【００１８】
【図１】（ａ）は本発明に係る電気ヒーターの平面図であり、（ｂ）は（ａ）のＡ−Ａ断面図である。
【図２】（ａ）は本発明の第二の実施形態を示す平面図であり、（ｂ）は（ａ）のＢ−Ｂ断面図である。
【図３】本発明の第一の実施形態の改変例を示す図１（ｂ）相当図である。
【図４】（ａ）は本発明の第三の実施形態を示す平面図であり、（ｂ）は（ａ）の断面図である。
【図５】（ａ）は本発明の第四の実施形態を示す平面図であり、（ｂ）は（ａ）のＣ−Ｃ断面図である。
【符号の説明】
【００１９】
１：電気ヒーター，１０：絶縁体（セラミックボード），２０：発熱体，２１：スリット，２２：縁部，２３：脚部，２３’：突出部，３０：発熱体，３１：スリット，３２：縁部，３３：脚部，３３’：突出部，４０：発熱体，４２：縁部，４３：脚部，５０：発熱体，５１：スリット，５２：縁部，５３：脚部，５３’：突出部，６０：発熱体，６１：スリット，６２：縁部，６３：脚部，６３’：突出部
【図１】
2005129273.tif 000003
【図２】
2005129273.tif 000004
【図３】
2005129273.tif 000005
【図４】
2005129273.tif 000006
【図５】
2005129273.tif 000007